(57)【要約】      （修正有）【課題】視認性が高く、電磁弁の動作の確認を容易に行うことができる携帯式電磁弁動作表示装置を提供すること。【解決手段】携帯式電磁弁動作表示装置は、励磁コイル５１の周囲を覆うように形成された筐体２と、励磁コイル５１からの磁束により誘導電流を発生させる磁束検出用コイル２１と、筐体２内に配置される発光部２２と、筐体２内に配置され、磁束検出用コイル２１により誘導電流が発生されると、誘導電流により発光部２２を発光させる回路部２３と、筐体２内に配置され、筐体２を励磁コイル５１に付着させる磁石部２４と、を備え、筐体２が励磁コイル５１に付着した際に、筐体２の内壁の一部は、励磁コイル５１の一部と接し、筐体２は、発光部２２から発せられる光を筐体２全体に拡散させる構造を有する。【選択図】図２
2012167732.tif 000002
【特許請求の範囲】
【請求項１】
励磁コイルを有する電磁弁の動作を確認するための携帯式電磁弁動作表示装置であって、
前記励磁コイルの周囲を覆うように形成された筐体と、
前記筐体内において前記励磁コイルの周囲を覆うように配置され、前記励磁コイルからの磁束により誘導電流を発生させる磁束検出用コイルと、
前記筐体内に配置される発光部と、
前記筐体内に配置され、前記磁束検出用コイルにより誘導電流が発生されると、前記誘導電流により前記発光部を発光させる回路部と、
前記筐体内に配置され、前記筐体を前記励磁コイルに付着させる磁石部と、を備え、
前記筐体が前記励磁コイルに付着した際に、前記筐体の内壁の一部は、前記励磁コイルの一部と接し、
前記筐体は、前記発光部から発せられる光を前記筐体全体に拡散させる構造を有する、携帯式電磁弁動作表示装置。
【請求項２】
前記筐体の一部又は全部がポリカーボネート樹脂で形成されることにより、前記筐体は、前記発光部から発せられる光を前記筐体全体に拡散させる請求項１に記載の携帯式電磁弁動作表示装置。
【請求項３】
前記回路部は、前記誘導電流により前記発光部を点滅させる点滅用回路を有する請求項１又は２に記載の携帯式電磁弁動作表示装置。
【請求項４】
前記筐体の外面に形成される連結部材と、
前記連結部材により前記筐体と回動可能に連結され、伸縮可能な把持部材と、をさらに備える請求項１から３のいずれか一項に記載の携帯式電磁弁動作表示装置。
【請求項５】
前記把持部材に形成され、かつ前記回路部と電気的に接続され、前記磁束検出用コイルにより誘導電流が発生されると、前記誘導電流により発光する補助発光部をさらに備える請求項４に記載の携帯式電磁弁動作表示装置。
【発明の詳細な説明】
【技術分野】
【０００１】
本発明は、電磁弁の動作を確認するための携帯式電磁弁動作表示装置に関する。
【背景技術】
【０００２】
従来より、発電所等における各種設備には、電磁弁が設置されている場合がある。電磁弁の動作を確認するために、電磁弁の励磁コイルに動作確認用の装置を設ける技術が提案されている（例えば、特許文献１参照）。
【０００３】
特許文献１に記載の電磁弁動作表示装置は、電磁弁に着脱可能な円柱体と、円柱体に設けられた磁束検出コイルと、磁束検出コイルによる磁束検出を処理する磁束検出回路と、磁束検出回路の処理結果に基づき電磁弁の動作表示を行う表示灯としてのＬＥＤと、を備えている。
【先行技術文献】
【特許文献】
【０００４】
【特許文献１】特開平７−１１３４７９号公報
【発明の概要】
【発明が解決しようとする課題】
【０００５】
しかし、発電所等における各種設備の様々な位置に電磁弁が設置されており、特許文献１に記載の電磁弁動作表示装置を用いた場合、電磁弁が設置されている位置によっては作業員がＬＥＤの表示（点灯）を視認できない可能性があった。
【０００６】
そこで、本発明は、視認性が高く、電磁弁の動作の確認を容易に行うことができる携帯式電磁弁動作表示装置を提供することを目的とする。
【課題を解決するための手段】
【０００７】
本発明は、励磁コイルを有する電磁弁の動作を確認するための携帯式電磁弁動作表示装置であって、前記励磁コイルの周囲を覆うように形成された筐体と、前記筐体内において前記励磁コイルの周囲を覆うように配置され、前記励磁コイルからの磁束により誘導電流を発生させる磁束検出用コイルと、前記筐体内に配置される発光部と、前記筐体内に配置され、前記磁束検出用コイルにより誘導電流が発生されると、前記誘導電流により前記発光部を発光させる回路部と、前記筐体内に配置され、前記筐体を前記励磁コイルに付着させる磁石部と、を備え、前記筐体が前記励磁コイルに付着した際に、前記筐体の内壁の一部は、前記励磁コイルの一部と接し、前記筐体は、前記発光部から発せられる光を前記筐体全体に拡散させる構造を有する、携帯式電磁弁動作表示装置に関する。
【０００８】
この発明によれば、携帯式電磁弁動作表示装置は、発光部から発せられる光を筐体全体に拡散させる構造を有するため、筐体全体が照明装置のように発光する。したがって、携帯式電磁弁動作表示装置の視認性が向上するため、携帯式電磁弁動作表示装置を用いて電磁弁の動作の確認を行う作業員は、例えば、発電設備において狭く、暗い場所での電磁弁の動作の確認を容易に行うことができる。
【０００９】
また、携帯式電磁弁動作表示装置は、筐体が励磁コイルに付着した際に、筐体の内壁の一部が励磁コイルの一部と接する。このため、携帯式電磁弁動作表示装置は、各電磁弁に対応した大きさに個別に携帯式電磁弁動作表示装置を設計した場合と比較して、各電磁弁の大きさにかかわらず電磁弁の動作の確認を行うことができ、汎用性を向上させることができる。
【００１０】
また、前記携帯式電磁弁動作表示装置は、前記筐体の一部又は全部がポリカーボネート樹脂で形成されることにより、前記筐体は、前記発光部から発せられる光を前記筐体全体に拡散させることが好ましい。
【００１１】
この発明によれば、携帯式電磁弁動作表示装置は、筐体の一部又は全部がポリカーボネート樹脂で形成されるため、発光部から発せられる光を好適に筐体全体に拡散させることができる。したがって、携帯式電磁弁動作表示装置は、視認性を好適に向上させることができる。
【００１２】
また、前記回路部は、前記誘導電流により前記発光部を点滅させる点滅用回路を有することが好ましい。
【００１３】
この発明によれば、携帯式電磁弁動作表示装置の点滅用回路は、誘導電流が小さく発光部を十分に発光させることができない場合であっても発光部を点滅させることにより、発光部から発せされた光による筐体の視認性を向上させることができる。
【００１４】
また、前記携帯式電磁弁動作表示装置は、前記筐体の外面に形成される連結部材と、前記連結部材により前記筐体と回動可能に連結され、伸縮可能な把持部材と、をさらに備えることが好ましい。
【００１５】
この発明によれば、連結部材により把持部材が筐体に対して回動可能となり、かつ把持部材が伸縮可能であるため、電磁弁の動作の確認を行う作業員は、例えば、高所等に設置された電磁弁の確認を容易に行うことができる。
【００１６】
また、前記携帯式電磁弁動作表示装置は、前記把持部材に形成され、かつ前記回路部と電気的に接続され、前記磁束検出用コイルにより誘導電流が発生されると、前記誘導電流により発光する補助発光部をさらに備えることが好ましい。
【００１７】
この発明によれば、筐体全体だけでなく、把持部材に形成された補助発光部によっても電磁弁の動作を確認可能となり、視認性がさらに向上し、より容易に電磁弁の確認を行うことができる。
【発明の効果】
【００１８】
本発明によれば、視認性が高く、電磁弁の動作の確認を容易に行うことができる携帯式電磁弁動作表示装置を提供することができる。
【図面の簡単な説明】
【００１９】
【図１】本発明の一実施形態に係る携帯式の電磁弁動作表示装置１の外観を示す斜視図である。
【図２】図１に示す筐体の内部構成を示す断面図である。
【図３】点滅用回路の具体例を示す回路図である。
【発明を実施するための形態】
【００２０】
以下、本発明の実施形態について図面を参照しながら説明する。
図１は、本発明の一実施形態に係る携帯式電磁弁動作表示装置１（以下、電磁弁動作表示装置１という）の外観を示す斜視図である。図１に示すように、電磁弁動作表示装置１は、筐体２と、連結部材３と、把持部材４と、を備えている。電磁弁動作表示装置１は、発電設備等に設置された各種の電磁弁の動作を確認するための装置である。
【００２１】
筐体２は、確認の対象となる電磁弁の励磁コイルの周囲を覆うように形成されている。具体的には、筐体２は、底面を有する筒状の部材で形成される。なお、筐体２の形状は、図１に示すように円筒状の部材に限定されず、例えば、略矩形の筒状であってもよい。筐体２の詳細な構成については後述する。
【００２２】
連結部材３は、筐体２の外面（側面）に形成され、筐体２と把持部材４とを連結する。
把持部材４は、連結部材３により筐体２に対して回動可能に連結される。また、把持部材４は、把持部材４の長手方向に沿って伸縮可能に構成される。例えば、把持部材４は、直径の異なる２つの部材を組み合わせることによって伸縮させてもよく、他の既存の構成を用いてもよい。
【００２３】
図２は、図１に示す筐体２の内部構成を示す断面図である。図２に示すように、筐体２は、磁束検出用コイル２１と、発光部２２と、回路部２３と、磁石部２４と、を備える。また、前述したように、筐体２は、励磁コイル５１を有する電磁弁５を覆うように形成される。
【００２４】
磁束検出用コイル２１は、筐体２の内部における側面側において励磁コイル５１の周囲を覆うように配置される。磁束検出用コイル２１は、筐体２により励磁コイル５１の周囲が覆われると、励磁コイル５１からの磁束により誘導電流を発生させる。
発光部２２は、例えば、ＬＥＤ（Ｌｉｇｈｔ  Ｅｍｉｔｔｉｎｇ  Ｄｉｏｄｅ）等で構成され、筐体２の内部における底面側に配置される。発光部２２は、１個のＬＥＤで構成されてもよく、２個以上のＬＥＤで構成されてもよい。
【００２５】
回路部２３は、筐体２の内部における底面側に配置され、磁束検出用コイル２１により誘導電流が発生されると、誘導電流により発光部２２を発光させる。また、回路部２３は、誘導電流により複数の発光部２２を交互に点滅させる点滅用回路２３ａを有していてもよい。
【００２６】
図３は、点滅用回路２３ａの具体例を示す回路図である。このような点滅用回路２３ａを用いることにより、発光部２２（図３中のＬＥＤ２２ａ，２２ｂ）を交互に点滅させることができる。なお、回路部２３は、点滅用回路２３ａに替えて誘導電流を増幅させて、増幅させた電流により発光部２２を発光させる増幅用回路を有していてもよい。
【００２７】
図２に戻り、磁石部２４は、筐体２の内部における上面側（底面と反対側）に配置され、磁力によって筐体２を励磁コイル５１に付着させる。
【００２８】
ここで、筐体２が励磁コイル５１に付着した際に、筐体２の内壁の一部は、励磁コイル５１の一部と接するように構成されている。具体的には、筐体２の内径は、励磁コイル５１の直径よりも大きく形成される。これにより、筐体２は、各種の励磁コイル５１の周囲を覆うことができる。筐体２の直径（外径）は、１０ｃｍ程度であることが好ましい。これは、電磁弁の直径が約５〜６ｃｍ程度であるためである。
【００２９】
そして、筐体２は、発光部２２から発せられる光を筐体２全体に拡散させる構造を有している。具体的には、筐体２の一部又は全部をポリカーボネート樹脂で形成することができる。ポリカーボネート樹脂は、光の透過性、耐衝撃性、耐熱性等に優れているため、筐体２の一部又は全部をポリカーボネート樹脂で形成することにより、筐体２は、発光部２２から放出される光を筐体２全体に拡散させることができる。
【００３０】
本実施形態によれば、電磁弁動作表示装置１は、発光部２２から発せられる光を筐体２全体に拡散させる構造を有するため、筐体２全体が照明装置のように発光する。したがって、電磁弁動作表示装置１の視認性が向上するため、電磁弁動作表示装置１を用いて電磁弁の動作の確認を行う作業員は、例えば、発電設備において狭く、暗い場所での電磁弁の動作の確認を容易に行うことができる。
【００３１】
また、電磁弁動作表示装置１は、筐体２が励磁コイル５１に付着した際に、筐体２の内壁の一部が励磁コイル５１の一部と接するように構成されている。このため、電磁弁動作表示装置１は、各種の電磁弁５に対応した大きさに個別に電磁弁動作表示装置を設計した場合と比較して、各種の電磁弁５の大きさにかかわらず電磁弁５の動作の確認を行うことができ、汎用性を向上させることができる。
【００３２】
また、本実施形態によれば、電磁弁動作表示装置１は、筐体２の一部又は全部がポリカーボネート樹脂で形成されるため、発光部２２から発せられる光を好適に筐体２全体に拡散させることができる。したがって、電磁弁動作表示装置１は、視認性を好適に向上させることができる。
【００３３】
また、本実施形態によれば、回路部２３は、誘導電流により発光部２２を点滅させる点滅用回路２３ａを有する。したがって、点滅用回路２３ａは、誘導電流が小さく発光部２２を十分に発光させることができない場合であっても発光部２２を点滅させることにより、発光部２２から発せされた光による筐体２の視認性を向上させることができる。
【００３４】
また、本実施形態によれば、電磁弁動作表示装置１は、筐体２の外面に形成される連結部材３と、連結部材３により筐体２と回動可能に連結され、伸縮可能な把持部材４と、を備えている。これにより、電磁弁動作表示装置１は、連結部材３により把持部材４が筐体２に対して回動可能となり、かつ把持部材４が伸縮可能であるため、電磁弁５の動作の確認を行う作業員は、例えば、高所等に設置された電磁弁５の確認を容易に行うことができる。
【００３５】
また、図１に示すように、電磁弁動作表示装置１は、把持部材４の一端側（例えば、作業員が把持部材４を把持する側）に形成され、かつ回路部２３と電気的に接続され、磁束検出用コイル２１により誘導電流が発生されると、誘導電流により発光する補助発光部４１をさらに備えていてもよい。
【００３６】
これにより、電磁弁動作表示装置１は、筐体２全体だけでなく、把持部材４に形成された補助発光部４１によっても電磁弁５の動作を確認可能となり、視認性がさらに向上し、より容易に電磁弁５の確認を行うことができる。
【００３７】
以上、本発明の一実施形態について説明したが、本発明は前述した実施形態に制限されるものではなく、適宜変更が可能である。また、本発明の実施形態に記載された効果は、本発明から生じる最も好適な効果を列挙したに過ぎず、本発明による効果は、本発明の実施形態に記載されたものに限定されるものではない。
【符号の説明】
【００３８】
１  電磁弁動作表示装置
２  筐体
３  連結部材
４  把持部材
２１  磁束検出用コイル
２２  発光部
２３  回路部
２４  磁石部
【図１】
2012167732.tif 000003
【図２】
2012167732.tif 000004
【図３】
2012167732.tif 000005